(57)【要約】【目的】一端側における周長が他端側における周長よりも長いテーパー状の生体の被圧迫部位に、圧迫帯を円筒状に巻き付けたときに、当初の巻付け位置からずれ難い圧迫帯を提供する。【解決手段】圧迫帯１０において、膨張袋２８の外周側に抑制板２６が位置するように、外袋１８にこれらが収納されている。そして、抑制板２６の前記他端側の側縁に、軸方向に切り込まれた切欠３２が複数設けられている。このことにより、膨張袋２８が膨張した際、抑制板２６のその側縁が膨張袋２８に密着するように変形し、その側縁と膨張袋２８との間に空隙が無くなり、前記他端側において、外袋１８が圧迫帯１０の内周側に巻き込まれることを、抑制板２６が妨げるので、圧迫帯１０がその他端側にずれることが抑制される。【選択図】図２
2008154750.tif 000002
【特許請求の範囲】
【請求項１】
膨張可能な膨張袋と、該膨張袋の外周側への膨張を抑制するために該膨張袋の外周側に配置された相対的に剛性の高い可撓性の抑制板と、該膨張袋および該抑制板を収納する外袋とを含み、一端側における周長が他端側における周長よりも長いテーパー状の生体の被圧迫部位に円筒状に巻き付けられた状態で、該膨張袋が膨張させられることにより該被圧迫部位を圧迫する血圧測定用圧迫帯であって、
前記抑制板の他端側側縁の複数箇所に、軸方向に切り込まれた切欠が設けられており、
前記膨張袋が膨張させられた場合に、該抑制板の他端側側縁が前記外袋に押圧されて、該抑制板の他端側側縁が内周側へ変形可能であることを特徴とする血圧測定用圧迫帯。
【請求項２】
前記抑制板の外周側に位置するように前記外袋に収納され、前記抑制板よりも高い剛性を有する筒状に成された可撓性の湾曲板を備えていることを特徴とする請求項１の血圧測定用圧迫帯。
【請求項３】
前記抑制板は、その一側縁部が前記膨張袋に連結されていることを特徴とする請求項２の血圧測定用圧迫帯。
【請求項４】
前記湾曲板は、前記外袋の内側に一体的に設けられていることを特徴とする請求項３の血圧測定用圧迫帯。
【請求項５】
平面に展開した状態で側縁が湾曲し、円筒状に巻き付けた状態では、一端側の周長が他端側の周長よりも長い截頭円錐形状を成すことを特徴とする請求項４の血圧測定用圧迫帯。
【請求項６】
前記湾曲板は２枚の板から構成されており、その内の一方の板は、円筒状に成されて前記一端側に配置され、他方の板は、断面が楕円形の筒状に成されて前記他端側に配置されていることを特徴とする請求項５の血圧測定用圧迫帯。
【発明の詳細な説明】
【技術分野】
【０００１】
本発明は、血圧測定に際して、生体の一部である被圧迫部位に巻きつけられて、その被圧迫部位を圧迫する血圧測定用圧迫帯に関するものである。
【背景技術】
【０００２】
例えば上腕や足首のような、長手方向において径が変化する生体の一部に血圧測定用圧迫帯を巻き付けると、種々の問題が生じる。例えば、特許文献１では、その図１に示すように、前記圧迫帯をその被圧迫部位に固定するためにその圧迫帯の外周側に巻き付くこととなる細帯部がその幅方向に２つに分けられ、一端側と他端側のそれぞれに対応する前記細帯部によって、その圧迫帯を固定することが可能なものが提案されていた。
【０００３】
また、特許文献２の図１及び図２には、例えば上腕筋が盛り上がっている腕などの被圧迫部位に装着するための圧迫帯が示されている。その圧迫帯は、その軸方向の両側縁にスリットが複数個形成されている可撓性の湾曲板を備えているが、それは、前記被圧迫部位の太さの変化に対する前記圧迫帯の追従性を向上させるためのものであった。
【特許文献１】特許第３６３８９３２号公報
【特許文献２】実公平３−４７６０３号公報
【発明の開示】
【発明が解決しようとする課題】
【０００４】
特許文献１の圧迫帯およびその課題を説明するための図８に基づいて詳述する。図８は、圧迫帯２００が足首のようなテーパー状の被圧迫部位２０２に巻き付けられ、血圧測定時の所定の圧力で膨張袋２０４が膨張させられているときの軸方向断面を模式的に現した図である。なお、図８では圧迫帯２００の有する課題を説明するために不要な部材を省略して表示している。
【０００５】
圧迫帯２００が、前記テーパー状の被圧迫部位２０２に円筒状に巻き付けられ、圧迫帯２００の外袋２０６に収納されている膨張袋２０４が膨張させられることによってその被圧迫部位２０２を圧迫した場合、その圧迫する力に対する反力２０８が圧迫帯２００に作用し、その被圧迫部位２０２が前記のようにテーパー状であるため、反力２０８により、圧迫帯２００を、一端側よりも周長の短い他端側へ軸方向に移動させようとする分力２１０が働く。そうなると、その他端側において、膨張袋２０４の外周側に配置された可撓性の抑制板２１２の側縁と膨張袋２０４との間に図８に示す空隙Ａが生じているので、抑制板２１２の側縁が膨張袋２０４に近接するように曲げ変形することによって、矢印Ｂのように、外袋２０６の外周側がその内周側へ巻き込まれるように変形することが可能であり、圧迫帯２００は、当初巻き付けた位置から前記他端側へずれてしまう。このように、圧迫帯２００にはその装着位置がずれてしまうという問題点があった。
【０００６】
また、特許文献２の図１及び図２に示される圧迫帯が備える円筒状に成形された前記湾曲板はその両側縁に前記のようなスリットを有しているが、それは、比較的剛性の高い湾曲板を、腕などの被圧迫部位の太さの変化に対して追従させるためのものである。また、そのスリットによりその湾曲板の両側縁の剛性が低下させられているとしても、その湾曲板は、前記圧迫帯の前記被圧迫部位への装着を容易にする目的で円筒状に成形されており、その目的からすると、前記湾曲板の材料自体の剛性はある程度高い方が良い。従って、その圧迫帯を前記テーパー状の被圧迫部位に巻き付けて膨張させたとした場合、前記湾曲板の前記他端側側縁が充分に撓まず、前記空隙Ａはこの圧迫帯でも生じてしまうことがあり、その装着位置のずれを抑制できるとは限らなかった。
【０００７】
本発明の目的は、前記生体のテーパー状の被圧迫部位に巻き付けられたとき、その装着位置が当初巻き付けた位置からずれてしまうことを抑えた血圧測定用圧迫帯を提供することである。
【課題を解決するための手段】
【０００８】
請求項１に係る発明は、（ａ）膨張可能な膨張袋と、その膨張袋の外周側への膨張を抑制するためにその膨張袋の外周側に配置された相対的に剛性の高い可撓性の抑制板と、その膨張袋および抑制板を収納する外袋とを含み、一端側における周長が他端側における周長よりも長いテーパー状の生体の被圧迫部位に円筒状に巻き付けられた状態で、その膨張袋が膨張させられることによりその被圧迫部位を圧迫する血圧測定用圧迫帯であって、（ｂ）前記抑制板の他端側側縁の複数箇所に、軸方向に切り込まれた切欠が設けられており、（ｃ）前記膨張袋が膨張させられた場合に、その抑制板の他端側側縁が前記外袋に押圧されて、その抑制板の他端側側縁が内周側へ変形可能であることを特徴とする。
【０００９】
また、請求項２に係る発明は、前記抑制板の外周側に位置するように前記外袋に収納され、前記抑制板よりも高い剛性を有する筒状に成された可撓性の湾曲板を備えていることを特徴とする。
【００１０】
また、請求項３に係る発明では、前記抑制板は、その一側縁部が前記膨張袋に連結されていることを特徴とする。
【００１１】
また、請求項４に係る発明は、前記湾曲板が、前記外袋の内側に一体的に設けられていることを特徴とする。
【００１２】
また、請求項５に係る発明では、前記血圧測定用圧迫帯は、平面に展開した状態で側縁が湾曲しており、円筒状に巻き付けた状態では、その一端側の周長が他端側の周長よりも長い截頭円錐形状を成すことを特徴とする。
【００１３】
また、請求項６に係る発明は、前記湾曲板は２枚の板から構成されており、その内の一方の板は、円筒状に成されて前記一端側に配置され、他方の板は、断面が楕円形の筒状に成されて前記他端側に配置されていることを特徴とする。
【発明の効果】
【００１４】
請求項１に係る発明の血圧測定用圧迫帯が前記テーパー状の生体の被圧迫部位に巻き付けられた状態で、前記膨張袋の膨張によって、本圧迫帯がその他端側にずれようとする場合には、前記外袋の内周面は前記被圧迫部位に押し付けられているので、その被圧迫部位とその外袋の内周面との間に生じる摩擦力によって、それらが互いに摺動することができず、本圧迫帯の他端側において、前記外袋の外周側はその内周側へ巻き込まれるように変形しようとする。また、その外袋の外周側は互いの間に生じる摩擦力により前記抑制板と一体的に移動することになる。しかし、請求項１に係る発明の血圧測定用圧迫帯では、前記抑制板の他端側側縁の複数箇所に、軸方向に切り込まれた切欠が設けられており、前記膨張袋が膨張させられた場合に、その抑制板の他端側側縁が前記外袋に押圧されて、その抑制板の他端側側縁が内周側へ変形可能である。従って、前記膨張袋が膨張させられた場合には、前記外袋に押圧されて前記抑制板の他端側側縁は内周側へ既に変形しているので、その状態から、その抑制板が一層内周側へ巻き込まれることは困難となり、その抑制板が前記外袋の外周側の巻き込まれようとする変形を妨げる。その結果、本圧迫帯では、その装着位置のずれることが抑制される。
【００１５】
請求項２に係る発明の血圧測定用圧迫帯では、前記抑制板の外周側に位置するように前記外袋に収納され、前記抑制板よりも高い剛性を有する筒状に成された可撓性の湾曲板を備えているので、その湾曲板の形状に従って、装着前の本圧迫帯は筒状に変形している。従って、本圧迫帯を前記被圧迫部位に巻き付ける際、その作業を容易に行うことができる。
【００１６】
請求項３に係る発明の血圧測定用圧迫帯によれば、前記抑制板は、その一側縁部が前記膨張袋に連結されており、その抑制板はその膨張袋に比して相対的に剛性が高いので、その膨張袋はその抑制板に沿うように前記外袋に収納され、その外袋内でその膨張袋が折れ曲がってしまうということを抑制できる。
【００１７】
請求項４に係る発明の血圧測定用圧迫帯によれば、前記湾曲板は前記外袋の内側に一体的に設けられているので、その湾曲板の位置を保持することができる。
【００１８】
請求項５に係る発明の血圧測定用圧迫帯は、平面に展開した状態で側縁が湾曲し、円筒状に巻き付けた状態では、その一端側の周長が他端側の周長よりも長い截頭円錐形状を成すものであるので、前記テーパー状の生体の被圧迫部位に倣って、その被圧迫部位に本圧迫帯を巻き付けることができる。
【００１９】
請求項６に係る発明の血圧測定用圧迫帯では、前記湾曲板は２枚の板から構成されており、その内の一方の板は、円筒状に成されて前記一端側に配置され、他方の板は、断面が楕円形の筒状に成されて前記他端側に配置されているので、上記湾曲板の形状に従って、本圧迫帯は、前記一端側では円筒状に変形し、前記他端側では断面が楕円形の筒状に変形している。従って、上記被圧迫部位が足首である場合において、ふくらはぎ側には前記一端側が位置し、足首側には前記他端側が位置するように、本圧迫帯を巻き付けることで、その足首の外形に倣って本圧迫帯を巻き付けることができる。
【発明を実施するための最良の形態】
【００２０】
（実施例１）
以下、本発明の第１実施例の圧迫帯１０を図面に基づいて詳細に説明する。図１は圧迫帯１０の外観を示す図である。図２は圧迫帯１０の外周側を展開した状態を示す図であり、圧迫帯１０の内部構造を示すために、図の中央部は部分断面図となっている。
【００２１】
図２に示すように、圧迫帯１０は、展開状態では扇状であって湾曲した帯状の形状を有し、例えば生体の足首のようなテーパー状の被圧迫部位に巻き付けるためのものである。そして、圧迫帯１０は、その長手方向の中央部を境に、一方は、外周面に面ファスナ１２が設けられた、前記被圧迫部位に直接巻き付けられる幅１４０ｍｍ程度の内巻部１４であり、他方は、その内周面に面ファスナ１２に張り付けることが可能な布が用いられ、内巻部１４から離れるに従い幅寸法が小さくなり先端では幅９０ｍｍ程度である、内巻部１４の外周に巻き付けるための外巻部１６となっている。そして、前記テーパー状の被圧迫部位の直径が大きい側に、圧迫帯１０の円筒状に巻回されたときに大径側となる一方の側縁が位置するように、内巻部１４をその被圧迫部位に巻き付けた上で、その外周に外巻部１６を巻き付けて、外巻部１６の内周面を面ファスナ１２に張り付けることで、その被圧迫部位に圧迫帯１０が固定される。このとき、圧迫帯１０は、その被圧迫部位の形状に倣い、一端側における周長が他端側における周長よりも長くなる截頭円錐形状を成すことになる。
【００２２】
図２に示すように、圧迫帯１０の外装は、外袋１８によって構成されており、外袋１８は内巻部１４と外巻部１６を有している。そして、外袋１８は、その内周面を構成する布とその外周面を構成する布とが、そのそれぞれの外縁をほぼ揃えた上でその外縁を一周する外縁布２０とともに縫い合わせられることにより、袋状に形成されている。図２及び図３に示すように、外袋１８の内巻部１４では、その外周側から順に、湾曲板２２，２４、抑制板２６、膨張袋２８と配置されるように、これらが外袋１８に収納されている。
【００２３】
抑制板２６は板厚１ｍｍ程度のポリプロピレンなどの可撓性の樹脂製で、図２及び図３に示すように、内巻部１４のほぼ全体に渡って外袋１８に収納される大きさの扇状で帯状の板である。そして、圧迫帯１０の前記一端側における抑制板２６の側縁に沿って、抑制板２６と膨張袋２８とを連結するための連結穴３０が複数設けられている。また、圧迫帯１０の前記他端側における抑制板２６の側縁には、その側縁の先端に近づくに従い幅寸法が大きくなる軸方向に切り込まれた切欠３２が複数設けられている。
【００２４】
図２及び図３示すように、切欠３２が設けられている抑制板２６の側縁には、その全長に渡って、切欠３２を抑制板２６の両面から覆うように前記側縁の先端で折り返された細長布３４が貼り付けられている。
【００２５】
膨張袋２８は、抑制板２６とその外形がほぼ等しい、扇状で帯状の袋であり、厚みが０．３ｍｍ程度の軟質ポリ塩化ビニルなどの柔らかい樹脂製である。また、抑制板２６は膨張袋２８に対して相対的に剛性が高い。
【００２６】
図２及び図３に示すように、圧迫帯１０の前記一端側における膨張袋２８の側縁には、その全長に渡って、抑制板２６よりも充分に幅寸法が小さい、長手状である２枚の連結シート３６の側縁が融着されている。そして、連結シート３６の互いの間に、抑制板２６が、膨張袋２８とほぼその外周を合わせた状態で挿入され、抑制板２６に複数設けられた連結穴３０を貫通するように、複数箇所で連結シート３６が互いに融着されている。これにより、抑制板２６と膨張袋２８は互いに連結されている。
【００２７】
湾曲板２２，２４のそれぞれは抑制板２６に対して相対的に剛性が高く、板厚１．５ｍｍ程度のポリプロピレンなどの可撓性の樹脂製であって、抑制板２６の長手のほぼ全長に渡る扇状で帯状の板であり、その一方の湾曲板２２は幅寸法が５０ｍｍ程度であって圧迫帯１０の前記一端側に配置されており、その他方の湾曲板２４は幅寸法が３０ｍｍ程度であって、切欠３２を覆わない位置で圧迫帯１０の前記他端側寄りに配置されている。そして、湾曲板２２，２４と抑制板２６との間に配置された、外袋１８の内巻部１４とその外縁がほぼ一致する軟質ポリ塩化ビニルなどの柔らかい樹脂製の保持シート４０と、外袋１８の内巻部１４の外周面を構成する外布４２とを、湾曲板２２，２４の長手方向に平行なその両側縁の外側の位置において、細長い融着代４４を形成するように融着することによって、外布４２と保持シート４０とに挿まれた湾曲板２２，２４は外袋１８に一体的に保持されている。
【００２８】
また、予め、湾曲板２２は円筒状に成形され、湾曲板２４は断面が楕円形の筒状に成形されており、そのため、図１に示すように、圧迫帯１０の内巻部１４は、前記一端側が円形断面であり、前記他端側が楕円形断面である、ほぼ筒状の形状を保つようになっている。
【００２９】
図１及び図２に示すように、膨張袋２８の中央部外周側には、仰角２０度程度で圧迫帯１０の前記他端側に傾斜した円筒状の、膨張袋２８に空気を注入するための空気注入管４６が設けられている。そして、空気注入管４６は、図４に示す抑制板２６に設けられた挿通穴４８と、２枚の湾曲板２２，２４の間と、外袋１８に設けられた穴５０とを通って、圧迫帯１０の外周面から突き出されている。
【００３０】
本実施例の圧迫帯１０には次のような効果（１）乃至（６）がある。（１）図５は、圧迫帯１０が足首のようなテーパー状の被圧迫部位５２に装着されたときの軸方向断面を模式的に現した図である。なお、図５は第１実施例の効果を説明するために不要な部材を省略して表示している。図５のように、圧迫帯１０が前記テーパー状の被圧迫部位５２に巻き付けられた状態で、膨張袋２８の膨張によって、圧迫帯１０がその他端側にずれようとする場合には、外袋１８の内周面は被圧迫部位５２に押し付けられているので、被圧迫部位５２と外袋１８の内周面との間に生じる摩擦力によって、それらが互いに摺動することができず、圧迫帯１０の他端側において、矢印Ｊのように、外袋１８の外周側はその内周側へ巻き込まれるように変形しようとする。また、外袋１８の外周側は互いの間に生じる摩擦力により抑制板２６と一体的に移動することになる。しかし、圧迫帯１０では、抑制板２６の他端側側縁の複数箇所に、軸方向に切り込まれた切欠３２が設けられており、膨張袋２８が膨張させられた場合に、抑制板２６の他端側側縁が外袋１８に押圧されて、抑制板２６の他端側側縁が内周側へ変形可能である。従って、膨張袋２８が膨張させられた場合には、外袋１８に押圧されて抑制板２６の他端側側縁は内周側へ既に変形しているので、その状態から、抑制板２６が一層内周側へ巻き込まれることは困難となり、抑制板２６が外袋１８の外周側の巻き込まれようとする変形を妨げる。その結果、圧迫帯１０では、その装着位置のずれることが抑制される。
【００３１】
圧迫帯１０が奏する上記効果について更に詳述すると、圧迫帯１０の他端側における抑制板２６の側縁には切欠３２が複数設けられており、抑制板２６の板厚が１ｍｍ程度と薄いためその側縁は充分な可撓性を有している。そして、外布４２と抑制板２６との間に挿まれた湾曲板２４は切欠３２を覆わないように配置されている。従って、図５に示すように、圧迫帯１０がテーパー状の被圧迫部位５２に巻き付けられ、膨張袋２８が膨張した場合、前記他端側において、外布４２によって抑制板２６の側縁は、膨張した膨張袋２８側に押圧され、膨張袋２８に密着するように被圧迫部位５２側へ変形し、その側縁と膨張袋２８との間に空隙が生じなくなる。そうなると、膨張袋２８に密着するように変形している抑制板２６の側縁は、膨張袋２８よりも剛性が高いため、曲率半径が小さくなっている膨張袋２８の前記他端側を超えて外周側から内周側に巻き込まれるように変形することはできず、抑制板２６が外袋１８の外周側の巻き込まれようとする変形を妨げる。その結果、圧迫帯１０では、その装着位置のずれることが抑制されるということである。
【００３２】
（２）可撓性の湾曲板２２，２４は予め、巻付け後の圧迫帯１０と同様の筒状になるよう成形されており、そのため、図１に示すように、圧迫帯１０の内巻部１４は、ほぼ筒状の形状を保つようになっている。従って、圧迫帯１０を所定の被圧迫部位５２に巻き付ける際、その作業を容易に行うことができる。
【００３３】
（３）圧迫帯１０では、抑制板２６は、その一側縁部が膨張袋２８に連結シート３６を介して連結されており、抑制板２６は膨張袋２８に比して相対的に剛性が高いので、膨張袋２８は抑制板２６に沿うように外袋１８に収納され、外袋１８内で膨張袋２８が折れ曲がってしまうということを抑制できる。
【００３４】
（４）圧迫帯１０では、湾曲板２２，２４は外布４２と保持シート４０とに挿まれて、外袋１８の内側に一体的に設けられているので、湾曲板２２，２４の位置を保持することができる。また、湾曲板２４は、抑制板２６の切欠３２を覆わないように配置されているので、膨張袋２８が膨張した場合に、外布４２によって抑制板２６の他端側側縁が、膨張した膨張袋２８に押し当てられることを、湾曲板２４が妨げることは無い。
【００３５】
（５）圧迫帯１０は、展開状態では扇状であって湾曲した帯状の形状を有しているので、円筒状に巻き付けた状態では、圧迫帯１０は、その一端側の周長が他端側の周長よりも長い截頭円錐形状を成すことになり、テーパー状の被圧迫部位５２に倣って、被圧迫部位５２に圧迫帯１０を巻き付けることができる。
【００３６】
（６）圧迫帯１０では、予め、湾曲板２２は円筒状に成形され、湾曲板２４は断面が楕円形の筒状に成形されているため、圧迫帯１０の成す上記截頭円錐形状は、前記一端側が円形断面であり、前記他端側が楕円形断面である。従って、被圧迫部位５２が足首である場合においては、ふくらはぎ側に湾曲板２２が位置し、足首側に湾曲板２４が位置する方向で、圧迫帯１０を巻き付けることで、その足首の外形に倣って圧迫帯１０を巻き付けることができる。
【００３７】
（実施例２）
本発明の第２実施例である圧迫帯７０を図６に基づいて詳細に説明する。図６は圧迫帯７０の断面を示す図である。
【００３８】
図６に示すように、圧迫帯７０は、第１実施例である圧迫帯１０から湾曲板２２，２４とこれを外袋１８に保持するための保持シート４０とを取り除いたものである。従って、圧迫帯７０における、それら２点以外の部材の構成は圧迫帯１０と同じである。
【００３９】
本実施例の圧迫帯７０は、圧迫帯１０から湾曲板２２，２４と保持シート４０とを取り除いただけのものなので、図７に示すように、圧迫帯７０がテーパー状の被圧迫部位５２に巻き付けられ、膨張袋２８が膨張した場合、圧迫帯１０と同様に圧迫帯７０でも、その他端側において、抑制板２６の切欠３２を有する側縁は膨張袋２８に密着するように変形しており、圧迫帯１０の前記効果（１）と同様に、圧迫帯７０では、その装着位置のずれることが抑制される。また、圧迫帯１０と同様に、圧迫帯７０では、抑制板２６は、その一側縁部が膨張袋２８に連結シート３６を介して連結されており、展開状態では扇状であって湾曲した帯状の形状を圧迫帯７０は有しているので、圧迫帯１０の前記効果（３）及び（５）と同様の効果を圧迫帯７０は奏する。
【００４０】
以上、本発明の実施例を図面に基づいて詳細に説明したが、これはあくまでも一実施形態であり、本発明はその他の態様においても適用される。
【００４１】
例えば、前述の第１実施例において、湾曲板２２，２４は、外布４２と保持シート４０に挿まれ、これらを融着することによって、外袋１８に一体的に保持されているが、その保持する方法は外袋１８に湾曲板２２，２４を接着する等他の方法でもよい。また、湾曲板２２，２４が、外袋１８ではなく抑制板２６に対し保持されていてもよい。
【００４２】
また、前述の第２実施例において、抑制板２６を予め円筒状に曲げ成形しておくことにより圧迫帯７０の内巻部を円筒状に変形させておき、足首などの被圧迫部位への圧迫帯７０の装着を容易にすることも可能である。
【００４３】
また、前述の実施例の圧迫帯１０，７０は、展開状態で扇状であって湾曲した帯状であったが、直線的な帯状の圧迫帯であってもよい。
【００４４】
また、前述の実施例では、被圧迫部位５２の一例として足首が挙げられているが、被圧迫部位５２は上腕などの他の部位であってもよい。
【図面の簡単な説明】
【００４５】
【図１】本発明の第１実施例である圧迫帯の外観を示す図である。
【図２】図１の圧迫帯の外周側を展開した状態を示す図である。また、その圧迫帯の内部構造を示すために、図の中央部は部分断面図となっている。
【図３】図２のＩＩＩ−ＩＩＩ視断面図である。
【図４】図１の圧迫帯に用いる抑制板単品を示す図である。
【図５】図１の圧迫帯が足首のようなテーパー状の被圧迫部位に装着されたときの軸方向断面を模式的に現した図である。なお、第１実施例の効果を説明するために不要な部材を省略して表示している。
【図６】本発明の第２実施例である圧迫帯の断面図である。
【図７】図６の圧迫帯が足首のようなテーパー状の被圧迫部位に装着されたときの軸方向断面を模式的に現した図である。なお、第２実施例の効果を説明するために不要な部材を省略して表示している。
【図８】従来の圧迫帯が足首のようなテーパー状の被圧迫部位に装着されたときの軸方向断面を模式的に現した図である。なお、この圧迫帯の有する課題を説明するために不要な部材を省略して表示している。
【符号の説明】
【００４６】
１０，７０：圧迫帯    １８：外袋    ２２，２４：湾曲板    ２６：抑制板
２８：膨張袋    ３２：切欠    被圧迫部位：５２，２０２
【図１】
2008154750.tif 000003
【図２】
2008154750.tif 000004
【図３】
2008154750.tif 000005
【図４】
2008154750.tif 000006
【図５】
2008154750.tif 000007
【図６】
2008154750.tif 000008
【図７】
2008154750.tif 000009
【図８】
2008154750.tif 000010